(57)【要約】【課題】強風によるのぼり旗の捲くれ上がりを、その風を利用して捲くれ上がりを防止するのぼり旗を提供する。【解決手段】カクカン７をちち布に装着しのぼり旗４に縫合することにより、強風時のぼり旗が風にあおられカクカン装着ちち布６を引っ張る力を利用し、引っ張られたカクカン装着ちち布がカクカンによりループ状が小さく絞られポールを締め付け移動出来なくなる。さらに、ポール長さ調節固定締め具５直下のカクカン装着ちち布は、ポール長さ調節固定締め具に遮られポール長さ調節固定締め具を超えられず、ずり上がり捲くれ上がることが出来なくなる。【選択図】図５
2015225087.tif 000002
【特許請求の範囲】
【請求項１】
立ポール側ちち布複数にカクカン装着ちち布を縫合、強風時にのぼり旗がカクカン装着ちち布を引っ張る力を利用し、その力でループ状ちち布がポールを絞り締め付け移動出来なくなる。さらに、ポール長さ調節固定締め具直下のカクカン装着ちち布はポールより太いポール長さ調節固定締め具に遮られ、ポール長さ調節固定締め具を超えられず捲くれ上がることが出来なくなる。
【請求項２】
汎用カクカン装着延長ちち布は、カクカンを装着していないちち布に風を利用した捲くれ上がりを防止する機能を付加できるものである。
【発明の詳細な説明】
【技術分野】
【０００１】
本発明は、強風による捲くれ上がりを防止するのぼり旗に関するものである。
【背景技術】
【０００２】
これまでののぼり旗は、強風による捲くれ上がりを防ぐために、別途装着するさまざまな器具が提案されている。
【０００３】
しかし、弱点である強風を利用して捲くれ上がりを防ぐ、のぼり旗の提案は見られなかった。
【０００４】
のぼり旗本体の最下段ちち布に錘を吊り下げるもの（特許文献１や特許文献２参照）、最下段ちち布と２段目ちち布に差し棒を装着し間隔を保つもの（特許文献３参照）、などがある。
【先行技術文献】
【特許文献】
【０００５】
【特許文献１】特開２００４−２８６８６７号公報
【特許文献２】実用新案登録第３１３５９３５号公報
【特許文献３】特開２００６−５８８２９号公報
【発明の概要】
【発明が解決しようとする課題】
【０００６】
解決しようとする問題点は、風の力により捲くれ上げられるその風の力を、捲くれ上がりを防ぐ力へと換えることが課題である。
【課題を解決するための手段】
【０００７】
本発明は、強風により捲くれ上がる事が弱点であるのぼり旗が、その強風を利用し捲くれ上がりを防止することが最も主要な特徴とする。
【０００８】
のぼり旗使用時、強風によってのぼり旗がカクカン装着ちち布を引っ張り、ポールより太く余裕のあったループ状ちち布は、カクカンにより絞られループ状が小さくなりポールを締め付けることによりその位置から移動出来なくなる。
【０００９】
さらに、ポールと同じ太さになったループ状ちち布は、ポールより太いポール長さ調節固定締め具に遮られ、ポール長さ調節固定締め具を超えられず、ずり上がりそして捲くれ上がることが出来なくなる。
【００１０】
のぼり旗により、ちち布の数は多様で確定できないが、立ポール側ちち布複数にカクカン装着ちち布を縫合する。
【００１１】
カクカンを装着するちち布は、カクカンを装着していないちち布より約８０mm長いちち布を使用する。
【００１２】
スリット入りカクカンを使用する場合は約８０ｍｍ長いちち布だけを縫合し、スリット入りカクカンを後で装着することも可能である。
【００１３】
上記カクカンは、樹脂製で、作られている。
【発明の効果】
【００１４】
本発明ののぼり旗は、風が強いときにのぼり旗自体で、捲くれ上がりを防ぐのぼり旗となる利点がある。
【図面の簡単な説明】
【００１５】
【図１】図１は本発明のぼり旗の全体構造を示した正面図である。（実施例１）
【図２】図２は本発明のぼり旗の支持構造ちち布にカクカンを通した斜視図である。
【図３】図３は本発明のぼり旗の支持構造ちち布をループ状にした斜視図である。
【図４】図４は本発明のぼり旗の支持構造ちち布の通常時使用状況を示した斜視図である。
【図５】図５は本発明のぼり旗の支持構造ちち布の強風時使用状況を示した斜視図である。
【図６】図６は汎用カクカン装着延長ちち布の支持構造を示した斜視図である。
【図７】図７は汎用カクカン装着延長ちち布の拡大斜視図である。
【発明を実施するための形態】
【００１６】
のぼり旗自体で捲くれ上がりを防ぐという目的を、ちち布にカクカンを装着することで実現した。
【００１７】
本発明の実施形態を図面にもとづき説明する。
【実施例】
【００１８】
図１は、本発明のぼり旗の１実施例の正面図であって、最下段ちち布と下から２段目ちち布にカクカン装着ちち布が縫合されている。
【００１９】
図２は、本発明のぼり旗の一部ちち布の斜視図で、ちち布にカクカンを装着した図である。
【００２０】
図３は、装着したカクカンの長方形穴にちち布を通し、立ポール差し込みのためループ状形態にした図である。
【００２１】
図４は、本発明のぼり旗のカクカン装着ちち布をのぼり旗に縫合した実施状態を示した斜視図であって、無風時におけるのぼり旗のカクカンとちち布の状態を示した図である。
【００２２】
図５は、本発明のぼり旗のカクカン装着ちち布をのぼり旗に縫合した実施状態を示した斜視図であって、強風時におけるのぼり旗のカクカンとちち布の状態で、強風によりちち布のループ状が小さくなりポールを締め付け固定されている状態を示した斜視図である。
【００２３】
図６は、汎用カクカン装着延長ちち布の実施例の斜視図で、極端にポールを短くして使用する等でポール長さ調節固定締め具直下にカクカンを装着していないちち布が位置した場合、カクカンを装着していないちち布に風を利用した捲くれ上がりを防止する機能が付加出来るものである。
【００２４】
図７は、カクカンを装着していないちち布に、捲くれ上がりを防ぐ機能を付加する汎用カクカン装着延長ちち布の拡大斜視図である。カクカンを装着していないちち布とは８のスリットを通し連結され約４０ｍｍ延長される。
【産業上の利用可能性】
【００２５】
約８０mm長くなるちち布にカクカンを通して縫合するという簡単な工程を加えるだけで、風を利用した捲くれ上がり防止のぼり旗が出来上がる。
【符号の説明】
【００２６】
１    カクカンを装着していないちち布
２    立ポール
３    横棒
４    のぼり旗
５    ポール長さ調節固定締め具
６    カクカン装着ちち布
７    カクカン
８    スリット入りカクカン
９    延長ちち布
１０  スリット
【図１】
2015225087.tif 000003
【図２】
2015225087.tif 000004
【図３】
2015225087.tif 000005
【図４】
2015225087.tif 000006
【図５】
2015225087.tif 000007
【図６】
2015225087.tif 000008
【図７】
2015225087.tif 000009
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
のぼり旗立ポール側ちち布複数に、通常より約８０ｍｍ長いちち布を使用、該ちち布をちち布幅と同サイズカクカンの長方形穴に通しのぼり旗に縫合、ちち布とカクカンで構成するープ状形態を作りそのループ内にことにより捲くれ上がりを防ぐことを特徴とする捲くれ上がり防止のぼり旗。
【請求項２】
請求項１ののぼり旗おいて、カクカンとのぼり旗間のちち布をカクカンの長方形穴に通しカクカンを元としたループ状形態を形成、該ループ状形態の内にポールを通すことにより、風の力を利用することを特徴とする捲くれ上がり防止方法。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
のぼり旗立ポール側ちち布複数に、通常より約８０ｍｍ長いちち布を使用、該ちち布をちち布幅と同サイズカクカンの長方形穴に通しのぼり旗に縫合、ちち布とカクカンで構成するープ状形態を作りそのループ内にことにより捲くれ上がりを防ぐことを特徴とする捲くれ上がり防止のぼり旗。
【請求項２】
請求項１ののぼり旗おいて、カクカンとのぼり旗間のちち布をカクカンの長方形穴に通しカクカンを元としたループ状形態を形成、該ループ状形態の内にポールを通すことにより、風の力を利用することを特徴とする捲くれ上がり防止方法。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
のぼり旗立ポール側ちち布複数に、通常より８０ｍｍ長いちち布を使用、該ちち布をちち布幅と同サイズカクカンの長方形穴に通しのぼり旗に縫合、ちち布とカクカンで構成することにより捲れ上がりを防ぐことを特徴とする捲れ上がり防止のぼり旗。
【請求項２】
請求項１ののぼり旗において、カクカンとのぼり旗間のちち布をカクカンの長方形穴に通しカクカンを元としたループ状形態を形成、該ループ状形態の内にポールを通すことにより、風の力を利用することを特徴とする捲れ上がり防止方法。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
のぼり旗立ポール側ちち布複数に、通常より約８０ｍｍ長いちち布を使用、該ちち布をちち布幅と同サイズカクカンの長方形穴に通しのぼり旗に縫合、ちち布とカクカンで構成することにより捲くれ上がりを防ぐことを特徴とする捲くれ上がり防止のぼり旗。
【請求項２】
請求項１ののぼり旗において、カクカンとのぼり旗間のちち布をカクカンの長方形穴に通しカクカンを元としたループ状形態を形成、該ループ状形態の内にポールを通すことにより、風の力を利用することを特徴とする捲くれ上がり防止方法。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
のぼり旗立ポール側ちち布複数に、通常より約８０ｍｍ長いちち布を使用、該ちち布をちち布幅と同サイズカクカンの長方形穴に通しのぼり旗に縫合、ちち布とカクカンで構成することにより捲くれ上がりを防ぐことを特徴とする捲くれ上がり防止のぼり旗。
【請求項２】
請求項１ののぼり旗において、カクカンとのぼり旗間のちち布をカクカンの長方形穴に通しカクカンを元としたループ状形態を形成、該ループ状形態の内に立ポールを通すことにより、風の力を利用することを特徴とする捲くれ上がり防止方法。
【手続補正書】
【提出日】平成27年7月4日(2015.7.4)
【手続補正１】
【補正対象書類名】特許請求の範囲
【補正対象項目名】全文
【補正方法】変更
【補正の内容】
【特許請求の範囲】
【請求項１】
のぼり旗立ポール側ちち布複数に、通常より約８０ｍｍ長いちち布を使用、該ちち布をちち布幅と同サイズカクカンの長方形穴に通しのぼり旗に縫合、ちち布とカクカンで構成することにより風の力を利用し捲くれ上がりを防ぐことを特徴とする捲くれ上がり防止のぼり旗。
【請求項２】
請求項１ののぼり旗において、カクカンとのぼり旗間のちち布をカクカンの長方形穴に通しカクカンを元としたループ状形態を形成、該ループ状形態の内に立ポールを通すことにより、風の力を利用することを特徴とする捲くれ上がり防止のぼり旗使用方法。
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
のぼり旗立ポール側ちち布複数に、通常より約８０ｍｍ長いちち布を使用、該ちち布をちち布幅とほぼ同じ長方形穴をしたカクカンの長方形穴に通しのぼり旗に縫合、通常より約８０ｍｍ長いちち布とカクカンで構成することにより、風の力を利用し捲くれ上がりを防ぐことを特徴とする捲くれ上がり防止のぼり旗。
【請求項２】
請求項１ののぼり旗において、カクカンが取り付けられたちち布のカクカンとのぼり旗間のちち布をカクカンの長方形穴に通し立ポール差し込みのためのループ状形態を形成、該ループ状形態の内と、カクカンが取り付けられていないちち布のループ状形態の内とともに立ポールを通して使用することにより、風の力を利用し捲くれ上がりを防ぐことを特徴とする捲くれ上がり防止のぼり旗使用方法。